【手続補正書】
【提出日】平成22年2月25日(2010.2.25)
【手続補正１】
【補正対象書類名】特許請求の範囲
【補正対象項目名】全文
【補正方法】変更
【補正の内容】
【特許請求の範囲】
【請求項１】
ネットワークを介して互いに接続された画像供給装置と画像形成装置、及び情報処理装置とを含む画像形成システムであって、
前記情報処理装置は、
前記画像形成装置の表示部に表示される操作画面と共通の操作画面を前記情報処理装置の表示部に表示する操作画面表示手段と、
前記操作画面表示手段によって表示された前記操作画面を用いてユーザによって入力された、前記画像形成装置における画像形成のための設定を保存する保存手段と、
前記保存手段によって保存された前記設定を識別するための識別情報を、前記画像供給装置に送信する送信手段とを有し、
前記画像供給装置は、
前記送信手段によって送信された識別情報を前記画像供給装置の表示部に表示する識別情報表示手段と、
前記識別情報表示手段によって表示された識別情報のうちユーザに選択された識別情報と、供給対象の画像データとを、前記ネットワークに送信するデータ送信手段とを有し、
前記画像形成装置は、
前記画像供給装置から送信された識別情報によって識別される設定と、前記供給対象の画像データとに基づいて、像形成処理を行う処理手段を有することを特徴とする画像形成システム。
【請求項２】
前記画像供給装置は、
前記保存手段によって保存された設定と、当該設定を識別するための識別情報とを前記ネットワークを介して受信する受信手段と、
前記受信手段によって受信した設定と識別情報とを対応付けて記憶する記憶手段と、をさらに有し、
前記データ送信手段は、
前記記憶手段に記憶される識別情報のうちユーザに選択された識別情報と、当該識別情報に対応する設定と、供給対象の画像データとを前記ネットワークを介して前記画像形成装置に送信することを特徴とする請求項１に記載の画像形成システム。
【請求項３】
前記保存手段は、前記設定と、当該設定を識別するための識別情報とを対応付けて保存し、
前記データ送信手段は、前記送信手段によって送信された識別情報のうちユーザに選択された識別情報と、供給対象の画像データとを前記ネットワークを介して前記情報処理装置に送信し、
前記情報処理装置は、前記データ送信手段から送信された識別情報に対応する設定と、前記供給対象の画像データとを前記ネットワークを介して前記画像形成装置に送信する手段をさらに有することを特徴とする請求項１に記載の画像形成システム。
【請求項４】
前記情報処理装置は、前記画像供給装置と前記画像形成装置とをユーザに選択させるための選択画面を前記情報処理装置の表示部に表示する選択画面表示手段をさらに有することを特徴とする請求項１乃至３の何れか１項に記載の画像形成システム。
【請求項５】
前記画像供給装置は原稿画像を光電変換して読取って、前記供給対象の画像データを取得することを特徴とする請求項１乃至４の何れか１項に記載の画像形成システム。
【請求項６】
ネットワークを介して互いに接続された画像供給装置と画像形成装置、及び情報処理装置とを含む画像形成システムの制御方法であって、
前記情報処理装置において、
前記画像形成装置の表示部に表示される操作画面と共通の操作画面を前記情報処理装置の表示部に表示する操作画面表示工程と、
前記操作画面表示工程で表示された前記操作画面を用いてユーザによって入力された、前記画像形成装置における画像形成のための設定を保存する保存工程と、
前記保存工程で保存された前記設定を識別するための識別情報を、前記画像供給装置に送信する送信工程とを有し、
前記画像供給装置において、
前記送信工程で送信された識別情報を前記画像供給装置の表示部に表示する識別情報表示工程と、
前記識別情報表示工程で表示された識別情報のうちユーザに選択された識別情報と、供給対象の画像データとを、前記ネットワークに送信するデータ送信工程とを有し、
前記画像形成装置において、
前記画像供給装置から送信された識別情報によって識別される設定と、前記供給対象の画像データとに基づいて、像形成処理を行う処理工程を有することを特徴とする画像形成システムの制御方法。
【請求項７】
画像供給装置と、前記画像供給装置から送信された、画像形成のための設定を識別するための識別情報及び画像データに基づいて画像を形成する画像形成装置とにネットワークを介して接続された情報処理装置であって、
前記画像形成装置の表示部に表示される操作画面と共通の操作画面を前記情報処理装置の表示部に表示する操作画面表示手段と、
前記操作画面表示手段によって表示された前記操作画面を用いてユーザによって入力された、前記画像形成装置における画像形成のための設定を保存する保存手段と、
前記保存手段によって保存された前記設定を識別するための識別情報のうちの何れかを前記画像供給装置においてユーザに選択させるために、当該識別情報を前記ネットワークを介して前記画像供給装置に送信する送信手段と
を有することを特徴とする情報処理装置。
【手続補正２】
【補正対象書類名】明細書
【補正対象項目名】発明の名称
【補正方法】変更
【補正の内容】
【発明の名称】画像形成システム及びその制御方法、並びに情報処理装置
【手続補正３】
【補正対象書類名】明細書
【補正対象項目名】０００１
【補正方法】変更
【補正の内容】
【０００１】
本発明は、ネットワークを介して互いに接続された画像供給装置と画像形成装置とを含む画像形成システム及びその制御方法、並びに情報処理装置に関するものである。
【手続補正４】
【補正対象書類名】明細書
【補正対象項目名】０００９
【補正方法】変更
【補正の内容】
【０００９】
上記目的を達成するために本発明の一態様に係る画像形成システムは以下のような構成を備える。即ち、
ネットワークを介して互いに接続された画像供給装置と画像形成装置、及び情報処理装置とを含む画像形成システムであって、
前記情報処理装置は、
前記画像形成装置の表示部に表示される操作画面と共通の操作画面を前記情報処理装置の表示部に表示する操作画面表示手段と、
前記操作画面表示手段によって表示された前記操作画面を用いてユーザによって入力された、前記画像形成装置における画像形成のための設定を保存する保存手段と、
前記保存手段によって保存された前記設定を識別するための識別情報を、前記画像供給装置に送信する送信手段とを有し、
前記画像供給装置は、
前記送信手段によって送信された識別情報を前記画像供給装置の表示部に表示する識別情報表示手段と、
前記識別情報表示手段によって表示された識別情報のうちユーザに選択された識別情報と、供給対象の画像データとを、前記ネットワークに送信するデータ送信手段とを有し、
前記画像形成装置は、
前記画像供給装置から送信された識別情報によって識別される設定と、前記供給対象の画像データとに基づいて、像形成処理を行う処理手段を有することを特徴とする。
【手続補正５】
【補正対象書類名】明細書
【補正対象項目名】００１０
【補正方法】変更
【補正の内容】
【００１０】
上記目的を達成するために本発明の一態様に係る画像形成システムの制御方法は以下のような工程を備える。即ち、
ネットワークを介して互いに接続された画像供給装置と画像形成装置、及び情報処理装置とを含む画像形成システムの制御方法であって、
前記情報処理装置において、
前記画像形成装置の表示部に表示される操作画面と共通の操作画面を前記情報処理装置の表示部に表示する操作画面表示工程と、
前記操作画面表示工程で表示された前記操作画面を用いてユーザによって入力された、前記画像形成装置における画像形成のための設定を保存する保存工程と、
前記保存工程で保存された前記設定を識別するための識別情報を、前記画像供給装置に送信する送信工程とを有し、
前記画像供給装置において、
前記送信工程で送信された識別情報を前記画像供給装置の表示部に表示する識別情報表示工程と、
前記識別情報表示工程で表示された識別情報のうちユーザに選択された識別情報と、供給対象の画像データとを、前記ネットワークに送信するデータ送信工程とを有し、
前記画像形成装置において、
前記画像供給装置から送信された識別情報によって識別される設定と、前記供給対象の画像データとに基づいて、像形成処理を行う処理工程を有することを特徴とする。